(57)【要約】【課題】  パチンコ店等の遊技施設内のタバコの煙やヤニを含む空気を効率よく清浄化する装置の提供。【解決手段】  装置本体４内の空気流通路５を横断して、金網６，７の積層構造からなる水滴保持体８が配置され、それにスプレー装置９を介して水を噴霧または散布する。そして、水滴保持体８から落下する水をタンク３を介し水浄化装置10に導く。次いで、それを再びスプレー装置９に供給し、水を循環させる。そして、タバコの煙やヤニを含む空気を水滴保持体８および噴霧水または散水中に通過させ、空気中の煙およびヤニ成分を水滴に捕捉させる。【選択図】        図１
2012165964.tif 000002
【特許請求の範囲】
【請求項１】
外周に空気を取り入れる入口(1)およびその出口(2)を有するケーシングからなる装置本体(4)と、
その装置本体(4)内で、その入口(1)と出口(2)との間の空気流通路(5)を横断して配置され、金網(6)(7)の積層構造からなる水滴保持体(8)と、
その水滴保持体(8)に向けて、前記空気流通路(5)内に水を噴霧または散布するスプレー装置(9)と、を具備するする空気中の煙およびヤニの捕捉装置。
【請求項２】
請求項１に記載の空気中の煙およびヤニの捕捉装置において、
前記水滴保持体(8)から落下する水滴が溜められるタンク(3)と、
そのタンク(3)に溜まった水を浄化する水浄化装置(10)と、
その水浄化装置(10)を経由した水が、再び前記スプレー装置(9)に供給される浄化水供給装置(11)と、を具備し、
タバコの煙を含む空気が前記水滴保持体(8)およびスプレー装置(9)からの噴霧水または散水中を通過する際に、多数の水滴にタバコの煙およびヤニ成分が捕捉されるように構成したことを特徴とする空気中の煙およびヤニの捕捉装置。
【請求項３】
請求項１または請求項２に記載の空気中の煙およびヤニの捕捉装置において、
前記水滴保持体(8)の空気流の下流位置で、前記装置本体(4)内に前記空気流通路(5)を横断してミストセパレータ(12)が配置され、そのミストセパレータ(12)により空気中の水滴を含む水分を捕捉し、その水滴を前記タンク(3)に導くように構成したことを特徴とする空気中の煙およびヤニの捕捉装置。
【請求項４】
請求項１〜請求項３のいずれか１項に記載の空気中の煙およびヤニの捕捉装置において、
前記水浄化装置(10)の下流に消毒タンク(13)を設け、そこで前記浄化水を消毒してから、それを前記スプレー装置(9)に供給するように構成したことを特徴とする空気中の煙およびヤニの捕捉装置。
【請求項５】
請求項１〜請求項４のいずれか１項に記載の空気中の煙およびヤニの捕捉装置において、
前記水滴保持体(8)は、それぞれ積層方向に隣り合う金網(6)(7)の平面形状が互いに異なるものからなり、複数段の前記水滴保持体(8)がそれぞれ前記空気流通路(5)を横断して配置されると共に、それらが水平面に対して傾斜して配置されたことを特徴とする空気中の煙およびヤニの捕捉装置。
【請求項６】
請求項１〜請求項５のいずれか１項に記載の空気中の煙およびヤニの捕捉装置において、
水浄化装置(10)は、ろ材の集合体を使用したものからなる空気中の煙およびヤニの捕捉装置。
【発明の詳細な説明】
【技術分野】
【０００１】
本発明はパチンコやスロットマシーン、或いはゲーム機を多数有する遊技店内の空気中のタバコの煙やヤニを捕捉し、空気を清浄化する装置に関する。
【背景技術】
【０００２】
多数のパチンコ台やスロットマシーン等を有する遊技店内では、通常タバコの喫煙が許されている。そこでは、その店舗内の空気を清浄化するための空気清浄器を設け、その内部フィルターによってタバコの煙とヤニの一部を捕集している。
或いは、室内の空気の一部を外気に放出すると共に、残りの空気を冷暖房用の空調設備に導き、他に新鮮な空気を外気から取り入れる換気方法を行なっている。
【発明の概要】
【発明が解決しようとする課題】
【０００３】
店舗内の空気清浄器によって、タバコの煙やヤニを含んだ空気を繊維フィルターや金属フィルターで捕捉する場合、その捕捉効率が悪く、空気清浄器から流出する空気中に多くのヤニや煙成分が含まれている。それを空調用冷暖房装置に導くと、その熱交換部の放熱用フィンにそのヤニ等の粒子成分が捕捉され、その被膜によって熱交換性能を著しく低下させる。それと共に、空調装置から室内に導かれる空気にタバコの匂い成分が流出する。  また、空調設備のフィン表面にタバコのヤニが付着すると、空調設備の寿命を低下するとともに、そのメンテナンス費用が増大する。
【０００４】
次に、店舗内の空気を清浄化するために、換気量を多くしてタバコのヤニを含んだ空気を店外に排出するとともに、新鮮な外気を取り入れて換気する場合には、新たな外気を熱交換するための膨大な電力コストが必要になる。それと共に外気にヤニを含んだタバコの煙を放出することになり、環境を悪化させる。
そこで、本発明は係る各種問題点を解決することを課題とする。
【課題を解決するための手段】
【０００５】
請求項１に記載の本発明は、外周に空気を取り入れる入口(1)およびその出口(2)を有するケーシングからなる装置本体(4)と、
その装置本体(4)内で、その入口(1)と出口(2)との間の空気流通路(5)を横断して配置され、金網(6)(7)の積層構造からなる水滴保持体(8)と、
その水滴保持体(8)に向けて、前記空気流通路(5)内に水を噴霧または散布するスプレー装置(9)と、を具備するする空気中の煙およびヤニの捕捉装置である。
【０００６】
請求項２に記載の本発明は、請求項１に記載の空気中の煙およびヤニの捕捉装置において、
前記水滴保持体(8)から落下する水滴が溜められるタンク(3)と、
そのタンク(3)に溜まった水を浄化する水浄化装置(10)と、
その水浄化装置(10)を経由した水が、再び前記スプレー装置(9)に供給される浄化水供給装置(11)と、を具備し、
タバコの煙を含む空気が前記水滴保持体(8)およびスプレー装置(9)からの噴霧水または散水中を通過する際に、多数の水滴にタバコの煙およびヤニ成分が捕捉されるように構成したことを特徴とする空気中の煙およびヤニの捕捉装置である。
【０００７】
請求項３に記載の本発明は、請求項１または請求項２に記載の空気中の煙およびヤニの捕捉装置において、
前記水滴保持体(8)の空気流の下流位置で、前記装置本体(4)内に前記空気流通路(5)を横断してミストセパレータ(12)が配置され、そのミストセパレータ(12)により空気中の水滴を含む水分を捕捉し、その水滴を前記タンク(3)に導くように構成したことを特徴とする空気中の煙およびヤニの捕捉装置である。
【０００８】
請求項４に記載の本発明は、請求項１〜請求項３のいずれか１項に記載の空気中の煙およびヤニの捕捉装置において、
前記水浄化装置(10)の下流に消毒タンク(13)を設け、そこで前記浄化水を消毒してから、それを前記スプレー装置(9)に供給するように構成したことを特徴とする空気中の煙およびヤニの捕捉装置である。
【０００９】
請求項５に記載の本発明は、請求項１〜請求項４のいずれか１項に記載の空気中の煙およびヤニの捕捉装置において、
前記水滴保持体(8)は、それぞれ積層方向に隣り合う金網(6)(7)の平面形状が互いに異なるものからなり、複数段の前記水滴保持体(8)がそれぞれ前記空気流通路(5)を横断して配置されると共に、それらが水平面に対して傾斜して配置されたことを特徴とする空気中の煙およびヤニの捕捉装置である。
【００１０】
請求項６に記載の本発明は、請求項１〜請求項５のいずれか１項に記載の空気中の煙およびヤニの捕捉装置において、
水浄化装置(10)は、ろ材の集合体を使用したものからなる空気中の煙およびヤニの捕捉装置である。
【発明の効果】
【００１１】
本発明の捕捉装置は、金網６，７の積層構造からなる水滴保持体８にスプレー装置９から水が噴霧又は散布され、そこにタバコの煙を含む空気を通過させ、多数の水滴にそのタバコの煙およびヤニを捕捉するように構成したから、効率よくその煙やヤニを捕捉し、空気を浄化することができる。即ち、その煙は噴霧水又は散水中を通過するとともに、その水滴を捕捉する水滴保持体８を通過するため、煙やヤニを効率よく捕捉できるとともに、その通過の際に生じる圧力損失を可及的に少なくすることができる。また、本装置を通った気体を空調装置に導いた場合、空調装置の熱交換用フィンにタールが付着することを防止でき、その空調装置の熱交換効率を向上させるとともに、寿命を大きく伸ばすことができる効果がある。
請求項２に記載の発明によれば、タバコの煙やヤニを捕捉した水滴は下方に落下してタンク３から水浄化装置10を経由し、スプレー装置９によって循環され、水が再使用される。そのためランニングコストの低い捕捉装置を提供できる。また、装置本体４から流出する空気が浄化され、その空気を室内に循環させることで、その空調用電力を必要最小限に抑えることができる。それと共に、その一部を外気に放出しても環境を害することがない。
【００１２】
請求項３に記載の本発明によれば、上記構成において水滴保持体８の下流位置にミストセパレータ12が配置され、それにより空気中の水滴を含む水分を捕捉し、その水滴をタンク３に導くように構成したから、捕捉装置から流出する空気を乾燥させることができる。  そのため、それが導かれる室内環境を良好に保つことができる。それと共に、本装置の下流側に設ける空調設備のメンテナンス性を良好とし、その熱交換性能を向上しうる。
請求項４に記載の本発明によれば、上記構成において水浄化装置10の下流に消毒タンク13を設け、そこで浄化水を消毒してからスプレー装置９に供給するようにしたため、本装置を通過した空気の殺菌を行い、衛生的な室内環境を保持しうる。
【００１３】
請求項５に記載の本発明によれば、水滴保持体８として平面形状が異なる金網６、金網７を隣接して配置したものであるから、それらの積層体によって空気流通路に迷路が形成され、より多くの水滴が捕捉され、煙およびヤニの捕捉効果が高いものとなる。
また、水滴保持体８が複数段に空気流通路５を横断して配置されたから、煙やヤニをより確実に捕捉することができる。さらには、水滴保持体８が水平面に対して傾斜しているため、ヤニや煙を捕捉した水滴をそれに沿って流下させ、水滴を成長させて円滑に下方に落下させることができる。
請求項６に記載の本発明によれば、水浄化装置10としてろ材の集合体を用いたから、それに微粒子を確実に捕捉させ、循環する水を清浄に保つことができる。
【図面の簡単な説明】
【００１４】
【図１】本発明の説明図。
【図２】図１のII部拡大図。
【図３】水滴保持体８に使用される金網６，金網７の平面図。
【図４】本装置の全体を示す斜視図。
【発明を実施するための形態】
【００１５】
次に、図面に基づいて本発明の実施の形態につき説明する。
本発明は、タバコの煙やヤニ等が水によく溶けることを利用し、それを可及的に多く捕捉するものである。
図１は本装置の説明図であり、図２は図１のII部拡大断面図である。また、図３は水滴保持体８の金網６および金網７の平面図である。さらに図４は、本装置の全体を示す斜視図である。
【００１６】
本発明の空気中の煙およびヤニの捕捉装置は、一例として図１に示すごとく、装置本体４の下部側壁に空気を取り入れる入口１が開口され、その上端に浄化した空気を流出させる出口２が設けられている。そして、装置本体４内には、上下に離間して複数段の水滴保持体８が配置されている。この水滴保持体８はその平面形状が図３（Ａ）、（Ｂ）に示すごとく、互いに異なる金網６、金網７を交互に配置したものである。各金網６、金網７は直径が０．８ｍｍ〜１．０ｍｍ程のオーステナイト系ステンレス線を平面四角形および多角形に形成し、それを積層したものである。各金網６、金網７の間隔は一例として５ｍｍ程度とし、５、６枚を積層し、全体が３０ｍｍ程度の厚みとする。各金網６、金網７の網目の大きさは５ｍｍ〜１０ｍｍ程度とすることができる。また、全体として水滴保持体８は水平面に対して傾斜して配置され、水滴の排出を促進する。このような金網の積層体からなる水滴保持体８は水滴を十分に捕捉することができるとともに、空気の流通に対しては可及的にその圧力損失を小とすることができる。
【００１７】
水滴保持体８の上方には多数のノズル9ａを有するスプレー装置９が図１および図４に示すごとく並列され、そのノズル9ａから水滴保持体８に向けて水が噴霧または散水される。この例では、水滴保持体８が上下２段に配置され、各水滴保持体８の上方にスプレー装置９が配置されている。このスプレー装置９のノズル9ａから噴霧される水滴の直径は、好ましくは０．１ｍｍ程度である。即ち、水はミストとして噴霧されることが好ましい。その流量は装置本体４の容量および、そこに導かれる空気の流量により実験的に定められる。
好ましくは本装置を通過したとき、その空気中の煙およびヤニ成分が９０％以上、水滴に捕捉される流量とする。
さらに最上段のスプレー装置９の空気流の下流側である装置本体４の最上段にはミストセパレータ12が配置されている。このミストセパレータ12は多数のチューブ12ａが並列されるとともに、そのチューブ12ａの外面に多数のフィン12ｂが接触固定されたものである。各チューブ12ａの両端は一対の冷却水ヘッダ17に連通され、冷却装置22を介して冷却された冷却水がチューブ12ａ内を流通する。そして、ミストセパレータ12を通過する空気中の水滴および水成分をそれに捕捉し、捕捉した水を下方に流下させるものである。
【００１８】
装置本体４の下端には、タンク３が設けられている。そして、タンク３から配管および電磁バルブ20、ポンプ18を介し、タンク３内の水を複数の水浄化装置10の一次側に導き、それを浄化してその二次側から、その水を消毒タンク13に導くものである。各水浄化装置10は一例として中空糸膜等のろ材の集合体を用いあるいは、浄化剤を用いることができる。そして各中空糸膜等または浄化剤を汚染水が通過する間に水に溶解したタール成分、その他の微粒子を捕捉し、清浄な水をその二次側から消毒タンク13に導く。
各水浄化装置10の一次側と二次側にはそれぞれ圧力計19が配置され、その一次側、二次側の圧力差が大きくなったとき、水浄化装置10の中空糸膜或いは浄化剤を取り替えるものとする。
【００１９】
消毒タンク13には、消毒装置14が連通され、そこから殺菌剤が供給される。殺菌剤は一例として次亜塩素酸を用いることができ、それによって浄化水の殺菌および消毒を行なうことができる。
消毒タンク13にはレベル計23および電磁バルブ20を介して水道水が常に、一定レベルに達するように供給される。消毒タンク13内の浄化および殺菌された水は、ポンプ18を有する浄化水供給装置11によってヘッダ16を介して各スプレー装置９に供給される。また、消毒タンク13は電磁バルブ20を有する配管を介して補助タンク15に連通されている。
【００２０】
（作用）
スプレー装置９のノズル9ａによって噴霧された微小な水滴は、空気流通路５内全体に拡散しつつ水滴保持体８の金網６、金網７上に落下する。そして、タバコの煙を含む空気25が装置本体４下部の入口１から内部に流通し、２段の水滴保持体８およびミストセパレータ12を通過して出口２から流出する。その間、空気25が金網６、金網７に捕捉された水滴の間および噴霧中の空気流通路５を流通し、その各水滴に空気中の煙成分およびヤニ成分が捕捉される。次いで湿気を含んだ空気25がミストセパレータ12のチューブ12ａおよびフィン12ｂを通過する間に、チューブ12ａに流通する冷却水によって冷却され、そのフィン等に水滴および水成分が捕捉される。そして、次第に大きくなった水滴は、下方に落下する。
【００２１】
水滴保持体８に噴霧された水滴は、次第に大きくなり、水滴保持体８の傾斜に沿ってその下流側に流れ、さらに大きくなって下方に落下し、タンク３に貯められる。空気25の流通方向はノズル9ａによる水の噴霧方向と逆方向に流通し、その速度差が有するエネルギーその他により、より効率よく水滴に粒子成分が捕捉・溶解される。本発明者の実験によれば、タンク３内に貯められた水は煙およびヤニ成分を捕捉して白濁する。タンク３内の水はポンプ18を介して各水浄化装置10の一次側に供給され、そこで浄化されて、その二次側から煙およびヤニ成分の存在しない水が消毒タンク13に導かれる。
消毒タンク13に導かれた清浄な水は、消毒装置14によって殺菌・消毒され、その殺菌剤を含む水がポンプ18を有する浄化水供給装置11によって各スプレー装置９に供給される。このようにして、消毒タンク13内の水が循環される。
【００２２】
出口２から流出した空気は、図示しない冷暖房装置に導かれる。なお、好ましくは本装置と冷暖房装置との間にさらにミストセパレータを配置する。冷暖房装置に導かれた空気は、本装置によってそのヤニ成分および煙成分が取除かれているため、図示しない空調設備のフィン、その他を汚染することがない。そのため、空調設備の寿命を長くするとともに、ヤニの付着による熱交換性能の低下を防止できる。それと共に、メンテナンス性のよい空調設備を提供できる。
この例では、遊技設備において１日稼動した本装置は、その営業時間の停止とともに、消毒タンク13内の水が補助タンク15に移され、外部に放出される。そして、翌日の営業前に新たな水道水が消毒タンク13に供給され、本装置が再稼動される。
【符号の説明】
【００２３】
１  入口
２  出口
３  タンク
４  装置本体
５  空気流通路
６  金網
７  金網
８  水滴保持体
９  スプレー装置
9a  ノズル
【００２４】
10  水浄化装置
11  浄化水供給装置
12  ミストセパレータ
12a  チューブ
12b  フィン
13  消毒タンク
14  消毒装置
15  補助タンク
16  ヘッダ
【００２５】
17  冷却水ヘッダ
18  ポンプ
19  圧力計
20  電磁バルブ
21  手動バルブ
22  冷却装置
23  レベル計
24  給水管
25  空気
【図１】
2012165964.tif 000003
【図２】
2012165964.tif 000004
【図３】
2012165964.tif 000005
【図４】
2012165964.tif 000006